(57)【要約】【課題】本発明は、直感的な簡単な動作で動画像ファイルに編集を施すことのできる動画像ファイル編集装置を提供することを目的とする。【解決手段】複数の動画像ファイルを記憶可能な記憶手段（２９）と、前記複数の動画像ファイルそれぞれのサムネイルを画面上に表示し、それらサムネイルに対する操作者の操作に応じて表示を変化させるユーザインタフェース手段（２７）とを備え、前記サムネイルの１つに対する前記操作者の２つの操作により、前記複数の動画像ファイルの中の編集対象と、その編集対象に施すべき編集内容とをそれぞれ判断する編集判断手段（２２）とを備えたことを特徴とする。【選択図】      図１
2005039845.tif 000002
【特許請求の範囲】
【請求項１】
複数の動画像ファイルを記憶可能な記憶手段と、
前記複数の動画像ファイルそれぞれのサムネイルを画面上に表示し、それらサムネイルに対する操作者の操作に応じて表示を変化させるユーザインタフェース手段と、
前記サムネイルの１つに対する前記操作者の２つの操作により、前記複数の動画像ファイルの中の編集対象と、その編集対象に施すべき編集内容とをそれぞれ判断する編集判断手段と
を備えたことを特徴とする動画像ファイル編集装置。
【請求項２】
請求項１に記載の動画像ファイル編集装置において、
前記２つの操作は、
前記サムネイルの１つを移動させるドラッグ操作と、それを他のサムネイルの一部に重なる位置で離すドロップ操作とからなり、
前記編集判断手段は、
前記移動したサムネイルの動画像ファイルと前記他のサムネイルの動画像ファイルとを、前記編集対象と判断する
ことを特徴とする動画像ファイル編集装置。
【請求項３】
請求項２に記載の動画像ファイル編集装置において、
前記編集判断手段は、
前記移動したサムネイルと前記他のサムネイルとの重なり方に応じて予め定められた連結編集を、前記編集内容と判断する
ことを特徴とする動画像ファイル編集装置。
【請求項４】
請求項３に記載の動画像ファイル編集装置において、
前記編集判断手段は、
前記移動したサムネイルと前記他のサムネイルとが左右に重なるとき、左側のサムネイルの動画像ファイルの後ろに右側のサムネイルの動画像ファイルを時間的に連結させる連結編集を、前記編集内容と判断する
ことを特徴とする動画像ファイル編集装置。
【請求項５】
請求項１〜請求項４の何れか一項に記載の動画像ファイル編集装置において、
前記ユーザインタフェース手段は、
前記操作者による操作対象となったサムネイルの表示枠を、ハイライト表示する
ことを特徴とする動画像ファイル編集装置。
【発明の詳細な説明】
【技術分野】
【０００１】
本発明は、編集対象となりうるソースファイル同士を編集するソースファイル編集装置であり、特に、動画像ファイルをサムネイル表示し、そのサムネイルを直感的に操作することで、動画像ファイル同士を多様な連結編集する動画像ファイル編集装置に関する。
なお、ソースファイルとは、編集対象となりうるファイルであれば、その情報の形態、実体を問うものではない。例えば、ソースファイルとして画像ファイル、音声ファイル等が考えられるが、ここでは、説明の簡便化のため、画像ファイルを中心に説明する。
【０００２】
また、本発明を説明する上の連結編集とは、編集対象である複数のファイルを結合し、１つのファイルを作ることを基本にしたものである。また、このとき、結合前のファイルを無くして、１つのファイルに置き換えるものでも、ソースファイルを残したまま、新たに編集したファイルを作成するものであってもよい。
【背景技術】
【０００３】
近年では、パーソナルコンピュータ上で高度な画像編集を行うソフトが利用されている。例えば、米国Adobe社製”Premiere”等が知られている。
図１１は、この種の動画像編集ソフトを使用した画像編集の作業画面である。  操作者は、表示領域５１上において、以下の手順で動画像の編集作業を行う。  まず、メニューバー５２を用いて、編集を行う動画像ファイルを記憶媒体内から選択する。
【０００４】
このように選択された動画像ファイルがウィンドウ５３に一覧表示される。操作者は、これらの動画像ファイルの中から、編集対象とすべき動画像ファイルを逐一選択する。
画像表示ウィンドウ５４には、ウィンドウ５３で選択された動画像ファイルの内容が表示される。
操作者は、このように選択された動画像ファイルに対し、コントロールボタン５５を介して再生、停止、記憶、貼付等の操作を行う。
【０００５】
また、操作者は、ウィンドウ５３上の動画像ファイルをタイムテーブル５６上へ繰り返しドラッグする。このような操作により、タイムテーブル５６上に並べられた複数の動画像ファイルは、連続して再生される形式に編集される。
【発明の開示】
【発明が解決しようとする課題】
【０００６】
このように、従来の画像編集ソフトでは、画像表示ウィンドウ５４で再生される動画像を、コントロールボタン５５を用いて、タイムテーブル５６に貼り付けるなどの操作を繰り返すことにより、画像編集が行われていた。
したがって、従来の画像編集ソフトでは、複数のウィンドウを一画面上に同時に表示しなければならず、小型の表示画面では実現することが困難であった。
【０００７】
特に、携帯用の小型な動画像ファイル編集装置では、個々のウィンドウが極端に小さく表示されるため、個々の画像が見づらくなり、操作者は画像を判別することが難しいという問題点があった。
また、ウィンドウ５３上の動画像ファイルリストが小さく表示されるため、動画像ファイルの選択操作が困難になるという問題点があった。
【０００８】
特に、タッチパネルなどを用いて、動画像ファイルを選択するようなケースでは、指先の指示域が広いため、選択操作を正確に素早く行うことができないという問題点があった。
また、複数のウィンドウを駆使して編集作業を行わなければならないため、編集作業の習熟に一層の時間がかかるという問題点があった。
【０００９】
特に、初心者にとって、複数のウィンドウを駆使する作業は、複雑かつ煩雑な作業となるため、初心者が多様な画像編集を行うことは非常に困難であった。
そこで本発明は、直感的な簡単な動作で動画像ファイルに編集を施すことのできる動画像ファイル編集装置を提供することを目的とする。
【課題を解決するための手段】
【００１０】
請求項１に記載の発明は、複数の動画像ファイルを記憶可能な記憶手段と、前記複数の動画像ファイルそれぞれのサムネイルを画面上に表示し、それらサムネイルに対する操作者の操作に応じて表示を変化させるユーザインタフェース手段と、前記サムネイルの１つに対する前記操作者の２つの操作により、前記複数の動画像ファイルの中の編集対象と、その編集対象に施すべき編集内容とをそれぞれ判断する編集判断手段とを備えたことを特徴とする。
【００１１】
請求項２に記載の発明は、請求項１に記載の動画像ファイル編集装置において、前記２つの操作は、前記サムネイルの１つを移動させるドラッグ操作と、それを他のサムネイルの一部に重なる位置で離すドロップ操作とからなり、前記編集判断手段は、前記移動したサムネイルの動画像ファイルと前記他のサムネイルの動画像ファイルとを、前記編集対象と判断することを特徴とする。
【００１２】
請求項３に記載の発明は、請求項２に記載の動画像ファイル編集装置において、前記編集判断手段は、前記移動したサムネイルと前記他のサムネイルとの重なり方に応じて予め定められた連結編集を、前記編集内容と判断することを特徴とする。
請求項４に記載の発明は、請求項３に記載の動画像ファイル編集装置において、前記編集判断手段は、前記移動したサムネイルと前記他のサムネイルとが左右に重なるとき、左側のサムネイルの動画像ファイルの後ろに右側のサムネイルの動画像ファイルを時間的に連結させる連結編集を、前記編集内容と判断することを特徴とする。
【００１３】
請求項５に記載の発明は、請求項１〜請求項４の何れか一項に記載の動画像ファイル編集装置において、前記ユーザインタフェース手段は、前記操作者による操作対象となったサムネイルの表示枠を、ハイライト表示することを特徴とする。
（作用）
本発明の動画像ファイル編集装置では、表示画面の全体にわたって、サムネイル（画像の縮小表示、または部分表示）が配列表示される。
【００１４】
なお、表示される画像が元々小さい場合や、１画面に１画像表示する場合などでは、縮小表示または部分表示する必要がない。この場合は、縮小表示せずに、そのまま表示することもサムネイル表示に含まれる。また、動画像のサムネイルは、動画像の１シーン（１フレーム）について縮小表示または部分表示したものをという。
操作者は、タッチパネル（またはマウスなど）を使用して、画面上のサムネイルに対し、ドラッグ・アンド・ドロップ操作（前記２つの操作に対応する。）を行う。
【００１５】
一般に、ドラッグ・アンド・ドロップ操作はマウスに対して行う操作で、マウスボタンを押しながら動かし（ドラッグ）、所定の位置でマウスボタンを放す（ドロップ）一連の操作のことをいうが、この操作はタッチパネルにも適用できる。この場合、タッチパネルに指（またはペン）で触れ、触れた状態で指を動かし（ドラッグ）、所定の位置でタッチパネルから指を離す（ドロップ）という一連の操作に相当する。
【００１６】
編集判断手段は、操作者のドラッグ・アンド・ドロップ操作の始点位置から終点位置までの経路を読み取る。なお、ドラッグ・アンド・ドロップ操作の経路には、ドラッグ・アンド・ドロップ操作の始点位置および終点位置だけを読み取る場合も含まれる。
操作者が画面上のサムネイルに対してドラッグ操作を開始すると、ドラッグ操作の始点位置に対応するサムネイルは、そのドラッグ操作に追従して移動表示される。
【００１７】
編集判断手段は、ドラッグ・アンド・ドロップ操作（前記２つの操作に対応する。）により、前記複数の動画像ファイルの中の編集対象と、その編集対象に施すべき編集内容とをそれぞれ判断する。
また、移動表示される第１のサムネイルと、画面上に表示されている第２のサムネイルとが重なり合うと、第１のサムネイルの動画像ファイルと、第２のサムネイルの動画像ファイルとを前記編集対象と判断する。また、その重なり方を検出する。
【００１８】
さらに、２つのサムネイルの重なり方に応じて予め定められた連結編集を、前記編集内容と判断する。
２つのサムネイルとが左右に重なるとき、左側のサムネイルの動画像ファイルの後ろに右側のサムネイルの動画像ファイルを時間的に連結させる連結編集を、前記編集内容と判断する。そして、本発明の動画像ファイル編集装置は、それら２つの動画像ファイルを時間的に連結させ、それらが連続して再生される形式に編集する。
【発明の効果】
【００１９】
本発明を適用した動画像ファイル編集装置では、直感的かつ簡単な操作によって、編集作業を確実に行うことができる。
【発明を実施するための最良の形態】
【００２０】
以下、図面を用いて本発明の実施形態を説明する。
図１は、第１の実施形態の構成図である。
図１において、本体２１にはＭＰＵ２２が配置されている。ＭＰＵ２２はデータバス２３を介して、主記憶メモリ２４、画像処理部２５、表示部２６およびタッチパネル２７と接続される。タッチパネル２７は感圧式、抵抗膜式、光位置検出式などのいずれの方式でもよい。また、タッチパネル２７の代わりにマウスを使用してもよい。
【００２１】
記録媒体２９は着脱部２８を介して、データバス２３と接続されているため、本体２１から取り外し可能になっている。なお、記録媒体２９としては磁気記録媒体、光記録媒体、光磁気記録媒体または半導体記録媒体が使用できる。
一方、画像処理部２５の入力端子は撮像部３０の出力端子と接続される。
なお、請求項の記憶手段は記録媒体２９に対応し、ユーザインタフェース手段は主にタッチパネル２７およびＭＰＵ２２に対応し、編集判断手段は主にＭＰＵ２２に対応する。
【００２２】
図２は、第１の実施形態の動作を説明する流れ図である。
図５〜図８はサムネイル表示画面を説明する図である。
以下、第１の実施形態の動作を図１、図２、図５〜図８を用いて説明する。
撮像部３０は外部の映像を光電変換し、画像信号を画像処理部２５に出力する。
画像処理部２５はその画像信号をデジタル変換処理、データ圧縮および符号化処理をする。
【００２３】
画像処理部２５で処理された画像信号は画像ファイルとして、記録媒体２９で保存される。なお、ここでは、記録媒体２９に保存される画像ファイルは全て動画像ファイルとする。
一方、ＭＰＵ２２の表示制御部は、記録媒体２９に記録される複数の動画像ファイルを読み取り、それぞれの動画像ファイルの先頭シーンについてサムネイルを作成し、一覧表示する（図２のステップＳ１）。図５では、６つの動画像ファイルのサムネイルがサムネイルＡ〜Ｆとして表示されている。
【００２４】
このとき、ＭＰＵ２２は各画像ファイルについて、動画像ファイル、静止画像ファイル等の画像ファイルの種別、画像データ量、フレーム数、作成日、題名等の諸属性を取得する。例えば、この属性を書き込み禁止属性にすれば、誤操作による画像ファイルの削除を防ぐことができる。
操作者が指（またはペン）でタッチパネル２７に触れると、ＭＰＵ２２はその位置を検出し（図２のステップＳ２）、その位置がサムネイル上にあるかを判断する（図２のステップＳ３）。
【００２５】
ＭＰＵ２２は、検出位置がサムネイル上にあると判断すると、操作者がそのサムネイルおよびそのサムネイルに対応する動画像ファイルを選択したと判断し、選択されたサムネイルの表示枠を、ハイライト表示する（図２のステップＳ４）。図６は、サムネイルＣが選択された様子を示す。
操作者はタッチパネル２７に触れた状態で指を動かす（ドラッグ操作を行う）と、図７に示すように、サムネイルＣも追従して移動する。なお、操作者がタッチパネルを介してサムネイルを操作することは、周知技術であるＧＵＩ（Graphical User Interface）などを利用するので、ここでの説明を省略する。
【００２６】
操作者がタッチパネル２７から指を離す（ドロップ操作を行う）と、ＭＰＵ２２はその位置を検出する（図２のステップＳ５）。
ＭＰＵ２２は、検出した位置に基づいて、２つのサムネイルの重なり方を判断する（図２のステップＳ６）。ここでは、サムネイルＣおよびサムネイルＢの画面上の表示位置から、サムネイルＣがサムネイルＢの左側に位置して重なっているか、右側に位置して重なっているか、それ以外の状態かを判断する。
【００２７】
サムネイルＣが、サムネイルＢの左側に位置して重なっているときは、サムネイルＣに対応する動画像ファイルＣの後に、サムネイルＢに対応する動画像ファイルＢが連続再生される形式に、２つ動画像ファイルを連結編集する（図２のステップＳ７）。これは、ＭＰＵ２２のファイル編集部が、２つの動画像ファイルを連結した動画像ファイルを、新たに作成することで実現できる。
【００２８】
サムネイルＣが、サムネイルＢの右側に位置して重なっているときは、動画像ファイルＢの後に、動画像ファイルＣが連続再生される形式に、２つ動画像ファイルを連結編集する（図２のステップＳ８）。
それ以外のときは、編集を行わないで終了する。
なお、主記憶メモリ１３は編集中の一時的なデータの保存に使用される。
【００２９】
このように、第１の実施形態では、ドラッグ・アンド・ドロップ操作という直感的かつ簡単な操作で、ファイルの連結という高度な編集作業を行うことができる。
次に、第２の実施形態について説明する。
第２の実施形態の構成図は、第１の実施形態の構成図（図１）と同一のため、同じ参照番号を付与して示し、ここでの説明を省略する。
【００３０】
図３は、第２の実施形態の動作を説明する流れ図である。
また、図９はサムネイル表示画面を説明する図である。
以下、第２の実施形態の動作を図１、図３、図５〜図７、図９を用いて説明する。
撮像部３０は外部の映像を光電変換し、画像信号を画像処理部２５に出力する。
画像処理部２５はその画像信号をデジタル変換処理、データ圧縮および符号化処理をする。
【００３１】
画像処理部２５で処理された画像信号は画像ファイルとして、記録媒体２９で保存される。なお、ここでは、記録媒体２９に保存される画像ファイルは全て動画像ファイルとする。
一方、ＭＰＵ２２の表示制御部は、記録媒体２９に記録される動画像ファイルを読み取り、各々の動画像ファイルに対応するサムネイルを、図５に示すように表示する（図３のステップＳ１）。
【００３２】
このとき、ＭＰＵ２２は各動画像ファイルについて、動画像ファイル、静止画像ファイル等の画像ファイルの種別、画像データ量、フレーム数、作成日、題名等の諸属性を取得する。
操作者が指（またはペン）でタッチパネル２７に触れると、ＭＰＵ２２はその位置を検出し（図３のステップＳ２）、その位置がサムネイル上にあるかを判断する（図３のステップＳ３）。
【００３３】
ＭＰＵ２２は、検出位置がサムネイル上にあると判断すると、操作者がそのサムネイルおよびそのサムネイルに対応する動画像ファイルを選択したと判断し、選択されたサムネイルの表示枠を、ハイライト表示する（図３のステップＳ４）。ここでは、図６に示すようにサムネイルＣが選択され、ハイライト表示される。
操作者はタッチパネル２７に触れた状態で指を動かす（ドラッグ操作を行う）と、サムネイルＣも、図７に示すように追従して移動する。
【００３４】
操作者がタッチパネル２７から指を離す（ドロップ操作を行う）と、ＭＰＵ２２はその位置を検出する（図３のステップＳ５）。
ＭＰＵ２２は、検出した位置に基づいて、２つのサムネイルの重なり方を判断する（図３のステップＳ６）。ここでは、サムネイルＣがサムネイルＢの上側に位置して重なっているか、下側に位置して重なっているか、それ以外の状態かを判断する。
【００３５】
図９に示すように、サムネイルＣが、サムネイルＢの上側に位置して重なっているときは、サムネイルＣに対応する動画像ファイルＣがフェードアウトで再生された後に続いて、サムネイルＢに対応する動画像ファイルＢが連続再生される形式に、２つの動画像ファイルを編集する（図３のステップＳ７）。これは、ＭＰＵ２２のファイル編集部が、動画像ファイルＣがフェードアウトで再生される形式のファイルに、動画像ファイルＢが通常再生される形式のファイルを結合させたファイルを新たに作成することで実現できる。
【００３６】
サムネイルＣが、サムネイルＢの下側に位置して重なっているときは、動画像ファイルＢが再生された後に、動画像ファイルＣがフェードインで連続再生される形式に、２つの動画像ファイルを編集する（図３のステップＳ８）。
それ以外のときは、編集を行わないで終了する。
なお、主記憶メモリ１３は編集中の一時的なデータの保存に使用される。
【００３７】
このように第２の実施形態の動画像ファイル編集装置では、ドラッグ・アンド・ドロップ操作という直感的かつ簡単な操作で、フェードインまたはフェードアウト効果を加えた連結編集を行うことができる。
次に、第３の実施形態について説明する。
第３の実施形態の構成図は、第１の実施形態の構成図（図１）と同一のため、同じ参照番号を付与して示し、ここでの説明を省略する。
【００３８】
図４は、第３の実施形態の動作を説明する流れ図である。
図１０は、サムネイル表示画面を説明する図である。
以下、第３の実施形態の動作を図１、図４、図５〜図７、図１０を用いて説明する。
撮像部３０は外部の映像を光電変換し、画像信号を画像処理部２５に出力する。
画像処理部２５はその画像信号をデジタル変換処理、データ圧縮および符号化処理をする。
【００３９】
画像処理部２５で処理された画像信号は画像ファイルとして、記録媒体２９で保存される。なお、ここでは、記録媒体２９に保存される画像ファイルは全て動画像ファイルとする。
一方、ＭＰＵ２２の表示制御部は、記録媒体２９に記録される動画像ファイルを読み取り、各々の動画像ファイルに対応するサムネイルを、図５に示すように表示する（図４のステップＳ１）。
【００４０】
このとき、ＭＰＵ２２は各画像ファイルについて、動画像ファイル、静止画像ファイル等の画像ファイルの種別、画像データ量、フレーム数、作成日、題名等の諸属性を取得する。
操作者がタッチパネル２７に指で触れると、ＭＰＵ２２はその位置を検出し（図４のステップＳ２）、サムネイル上にあるかを判断する（図４のステップＳ３）。
【００４１】
ＭＰＵ２２は、検出位置がサムネイル上にあると判断すると、操作者がそのサムネイルおよびそのサムネイルに対応する動画像ファイルを選択したと判断し、そのサムネイルの表示枠をハイライト表示する（図４のステップＳ４）。ここでは、図６に示すようにサムネイルＣが選択され、ハイライト表示される。
操作者はタッチパネル２７に触れた状態で指を動かす（ドラッグ操作を行う）と、サムネイルＣも、図７に示すように追従して移動する（図４のステップＳ５、ステップＳ６）。
【００４２】
ＭＰＵ２２は、移動表示されるサムネイルが、画面表示される別のサムネイルに重なっているか否かを判断する（図４のステップＳ７）。ここでは、サムネイルＣとサムネイルＢとが重なっているか否かを判断する。
２つのサムネイルが重なっていないときは、ステップＳ５に戻り、ＭＰＵ２２は、ドラッグ操作が続いているかを判断する。
【００４３】
２つのサムネイルが重なっているときは、ＭＰＵ２２は、移動表示されるサムネイルの４つのコーナーの中で、別のサムネイルと重なっているコーナーを検出し、ハイライト表示する。図１０では、サムネイルＣの第１のコーナーがサムネイルＢと重なっているので、第１のコーナーをハイライト表示する。また、このとき、サムネイルＢ上には４つのターゲットを表示する（図４のステップＳ８）。
【００４４】
さらに、ＭＰＵ２２は、検出されたコーナーとどのターゲットが最も近いかを判断し、その最も近いターゲットをハイライト表示する。
ＭＰＵ２２には、検出されたコーナーとそのコーナーに最も近いターゲットとの関係によって、予め編集内容が設定されている。ＭＰＵ２２は、２つのサムネイルが重なり合うと、サムネイル表示画面の下部にその編集内容を表示する（図４のステップＳ９）。
【００４５】
ここでは、第１のコーナーが第１のターゲットの近傍にあるときは、第１のコーナーを持つサムネイル（ここではサムネイルＣ）の動画像ファイルが、フェードアウトで再生された後に続いて、第１のターゲットを持つサムネイル（ここではサムネイルＢ）の動画像ファイルが再生される形式に、２つの動画像ファイルを編集することが設定されている。
また、第２のコーナーが第２のターゲットの近傍にあるときは、サムネイルＣに対応する動画像ファイルが再生された後に、サムネイルＢに対応する動画像ファイルがフェードインで再生される形式に、２つの動画像ファイルを編集する。
【００４６】
さらに、第３のコーナーが第３のターゲットの近傍にあるときは、サムネイルＢに対応する動画像ファイルが、フェードアウトで再生された後に、サムネイルＣに対応する動画像ファイルが再生される形式に、２つの動画像ファイルを編集する。
また、第４のコーナーが第４のターゲットの近傍にあるときは、サムネイルＢに対応する動画像ファイルが再生された後に、サムネイルＣに対応する動画像ファイルがフェードインで再生される形式に、２つの動画像ファイルを編集する。
【００４７】
以上のように、４つのコーナー、４つのターゲットの場合では、ＭＰＵ２２には１６通りの編集が設定可能である。
ＭＰＵ２２は、２つのサムネイルが重なった状態でドロップ操作があるか否かを判断する（図４のステップＳ１０）。ドロップ操作がないときは、ステップＳ５に戻り、ドラッグ操作が続いているかを判断する。ドロップ操作があるときは、その時点でのコーナーとターゲットとの位置関係を判断し、その位置関係に対応した編集を行う（図４のステップＳ１１）。
【００４８】
ここでは、サムネイルＣの第１のコーナーが、サムネイルＢの第１のターゲットの近傍にあるので、動画像ファイルＣがフェードアウトで再生された後に、動画像ファイルＢが、連続して再生される形式に２つの動画像ファイルを編集する。
このように、第３の実施形態の動画像ファイル編集装置では、ドラッグ・アンド・ドロップ操作という１つの操作で、多様な編集を適時行うことができる。
【００４９】
なお、上述した第１〜第３の実施形態では、ドラッグ・アンド・ドロップ操作を行う手段として、タッチパネル２７もしくはマウスを想定しているが、それに限定されるものではない。例えば、カーソルキーや十字キーを使用してもドラッグ・アンド・ドロップ操作を行うことができる。
また、上述した第１〜第３の実施形態では、撮像部３０で撮像した画像を扱っているが、それに限定されない。例えば、外部から画像データを読み込んでもよい。
【００５０】
さらに、上述した第１〜第３の実施形態では、１回のドラッグ・アンド・ドロップ操作で２つのサムネイルを選択したが、それに限定されない。例えば、連続して、複数回ドラッグ・アンド・ドロップ操作を行うことで、３つ以上のサムネイルを選択できるようにしてもよい。
なお、上述した実施形態では、２つの動画像ファイルの編集として、連結、フェードイン、フェードアウトを挙げたが、それに限定されるものではない。その他の編集としては、２つの動画像ファイルにオーバーラップ、クロマキー、ワイプ等の特殊効果を加えて連続再生するように、２つの動画像ファイルを編集してもよい。
【００５１】
また、それ以外の連結編集としては、静止画像ファイルと動画像ファイルとについて連結編集を施す場合には、コーナーとターゲットとの位置関係によって、静止画像ファイルの再生時間を変化させて動画像ファイルと連結させてもよい。
例えば、第１のコーナーが第１のターゲットの近傍にあるときは、静止画像ファイルが１秒間再生されて動画像ファイルと連結され、第２のコーナーが第２のターゲットの近傍にあるときは、静止画像ファイルが２秒間再生されて動画像ファイルと連結される等、各様に設定されてもよい。
【００５２】
また、上述した実施形態では、サムネイルが重なり合ったときの位置によって、連結編集の内容が決定されたが、それに限定されるものではない。例えば、サムネイルが重なり合うときの方向（上側から重なる、下側から重なる、右側から重なる、左側から重なる、斜め側から重なる）などに基づいて編集内容が決定されてもよい。
また、第１の実施形態では、動画像ファイルの先頭シーンについてサムネイルを自動的に作成したが、これに限定されるものではない。例えば、操作者が動画像ファイルの任意のシーンを選択し、それをサムネイル表示してもよい。
【００５３】
さらに、第３の実施形態では、４つのターゲットを考えたが、それに限定されるものではない。ターゲットはサムネイル上のどの位置に存在してもよいし、その数も限定されるものではない。
また、第３の実施形態では、編集内容が予め設定されていたが、それに限定されず、操作者が任意に編集内容を設定できてもよい。
【００５４】
さらに、第３の実施形態では、編集内容を画面上に表示しているが、それに限定されず、音声で教示してもよい。
【図面の簡単な説明】
【００５５】
【図１】第１の実施形態の構成図である。
【図２】第１の実施形態の動作を説明する流れ図である。
【図３】第２の実施形態の動作を説明する流れ図である。
【図４】第３の実施形態の動作を説明する流れ図である。
【図５】サムネイルの表示画面を説明する図である。
【図６】サムネイルの表示画面を説明する図である。
【図７】サムネイルの表示画面を説明する図である。
【図８】サムネイルの表示画面を説明する図である。
【図９】サムネイルの表示画面を説明する図である。
【図１０】サムネイルの表示画面を説明する図である。
【図１１】従来の動画像編集ソフトを使用した画像編集の作業画面である。
【符号の説明】
【００５６】
１  読取手段
２  表示手段
３  ファイル編集手段
４  第１の識別手段
５  ファイル連結手段
６  第２の識別手段
７  特殊連結手段
８  教示手段
２１  本体
２２  ＭＰＵ
２３  データバス
２４  主記憶メモリ
２５  画像処理部
２６  表示部
２７  タッチパネル
２８  着脱部
２９  記録媒体
３０  撮像部
５１  表示領域
５２  メニューバー
５３  ウィンドウ
５４  画像表示ウィンドウ
５５  コントロールボタン
５６  タイムテーブル
【図１】
2005039845.tif 000003
【図２】
2005039845.tif 000004
【図３】
2005039845.tif 000005
【図４】
2005039845.tif 000006
【図５】
2005039845.tif 000007
【図６】
2005039845.tif 000008
【図７】
2005039845.tif 000009
【図８】
2005039845.tif 000010
【図９】
2005039845.tif 000011
【図１０】
2005039845.tif 000012
【図１１】
2005039845.tif 000013